(57)【特許請求の範囲】
【請求項１】
切断材に当接させる定盤と、この定盤の上面側に上下に傾動可能に配置された丸鋸本体を備えた丸鋸盤であって、
前記丸鋸本体は、駆動モータを備えたブレードケースと、該ブレードケース内に収容されて前記駆動モータにより回転する円形の鋸刃と、シール材が設けられた切断材を切断する際、前記シール材が前記鋸刃に引っかかって巻き込まれるのを防止するために該シール材を切断する切断部材を備えており、
前記切断部材は、前記鋸刃の回転中心よりも切断進行方向前寄りの位置で、前記鋸刃に対して切断進行方向に向かって左側方において前記ブレードケース内に取り付けられ、かつその刃先を下方へ向けた状態で設置したことを特徴とする丸鋸盤。
【請求項２】
請求項１に記載の丸鋸盤であって、前記切断部材は、鋸刃の切断方向に沿って延在する刃先を有することを特徴とする丸鋸盤。
【発明の詳細な説明】
【０００１】
【発明の属する技術分野】
この発明は、丸鋸盤に係り、特に石膏ボード等の切断作業に好適な防塵タイプの丸鋸盤に関する。
【０００２】
【従来の技術】
一般に、石膏ボード等の切断作業に用いられる防塵タイプの丸鋸盤では、鋸刃を覆うブレードケースに筒状の接続口を設け、その接続口に集塵機のホースを接続して、切断によって生じた粉塵を強制的に吸い込んで集塵機に回収している。このような丸鋸盤では、集塵効率を上げるために、鋸刃をブレードケースによってほぼ完全に覆っている。
【０００３】
【発明が解決しようとする課題】
ところで、石膏ボードの中には、構造物の壁面を施工するような場合において、ボード相互の突き合わせ端部のシール性（水密性）を確保するために、ボードの突き合わせ端部に沿ってビニール等の軟質樹脂からなる紐状のシール材が設けられたものがある。このようなシール材が設けられた石膏ボードを丸鋸盤によって切断する場合において、シール材が鋸刃（刃先）に引っかけられて石膏ボードからめくれ、ケース内部に引き込まれて鋸刃を支持する回転軸あるいは鋸刃を回転軸に固定するインナフランジに巻き付く可能性がある。
なお、本発明に類似する技術として、例えば特開昭５９−５００１号公報が知られている。この公報には、切断時に発生した木材の切れ端がケース内部に入り込んでケースと鋸刃との間に挟まることを防止するための突起を備えた丸鋸盤が開示されている。ところが、上記公報記載の丸鋸盤では、定盤に形成された鋸刃貫通孔の周縁部から貫通孔内に向けて突起を突設したものであり、この突起は、丸鋸盤の外側、すなわち、鋸刃の外面側に配設された構造である。このため、回転軸に対するシール材の巻き付き防止用としては役に立つものではない。
【０００４】
本発明は、上述した従来の問題点に鑑みてなされたものであり、その目的とするところは、シール材を設けた切断材の切断時において、鋸刃によるシール材の巻き込みを防止する上で有効な丸鋸盤を提供することにある。
【０００５】
【課題を解決するための手段】
上記課題を達成するため、本発明に係る丸鋸盤は、特許請求の範囲の各請求項に記載の通りの構成を備えた。
請求項１に記載の丸鋸盤は、鋸刃の切断方向における前寄りでかつ丸鋸本体側にシール材切断用の切断部材を設置した構成としている。したがって、例えば突き合わせ端部に水浸入防止用のシール材を設けた石膏ボードのような切断材を丸鋸盤で切断する場合において、シール材が鋸刃（刃先）に引っかかり石膏ボードからめくれて鋸刃を覆うケース内部に巻き込まれようとしたとき、このシール材を切断部材によって切り取る。これにより、シール材がケース内部へ侵入して鋸刃を支持する回転軸に巻き付くことを防止することができる。
【０００６】
この場合、請求項２に記載したように、切断部材は、鋸刃の切断方向に沿って延在する刃先を有することが好ましい。このような構成を採用したときは、切断部材の刃先は、鋸刃によってめくれ上げられるシール材に対して、めくれ方向と交差する方向から刃先を当てることができるため、これにより切断材からめくれ上がったシール材の切り取りを効果的に行うことができる。
【０００７】
また、請求項１に記載したように、切断部材は、丸鋸本体に設けられていることが好ましい。一般に、丸鋸盤では通常の直角切りのほか、例えば４５°の傾斜切りを可能とするために、丸鋸本体が定盤に対して傾動できるように構成されている。したがって、切断部材を丸鋸本体に設ける構成を採用したときは、切断部材が鋸刃と共に傾動することになり、鋸刃との相対位置を一定に保つことができる。これにより、切断部材の存在が鋸刃の傾動角度を調整する際に邪魔になるといった問題が生じない。
【０００８】
【発明の実施の形態】
次に、本発明の実施の形態を図１〜図４に基づいて説明する。ここで、図１は本実施形態に係る丸鋸盤の正面図、図２は平面図、図３は図１のＡ−Ａ線拡大断面図である。図４は切断部材によるシール材の切断作用を説明する図である。
本実施形態の丸鋸盤１は、石膏ボード等の切断作業に用いる防塵タイプであって、切断材Ｗに当接させる定盤２と、該定盤２に対して切断方向左右に傾動可能に支持された丸鋸本体３とを備えている。なお、この明細書において、切断方向とは、切断作業において丸鋸盤１が移動する方向であって、切断が進行する方向をいう。従って、図１および図２において右方が切断方向となる。
丸鋸盤１は、鋸刃２２を切断材Ｗに対して直交させることにより直角切りが行われ、鋸刃２２を切断材Ｗに対して４５゜傾斜させることにより４５゜での傾斜切りが行われる。鋸刃２２の傾斜は丸鋸本体３を定盤２に対して傾動させることにより行う。
【０００９】
この定盤２の前部と後部の２箇所に設けた傾動支持部Ｆ，Ｒを介して丸鋸本体３が切断方向左右へ傾動可能に支持されている。定盤２の前部に前側の傾動支持部Ｆが設けられている。この前側の傾動支持部Ｆは、定盤２の上面から上方へ立ち上げ状に設けた傾動定盤６を備えている。この傾動定盤６の後面側には傾動軸７を介して傾動ブラケット８が上下に傾動可能に設けられている。図１に示すように傾動定盤６に対する傾動ブラケット８の傾動位置は、傾動ブラケット８に設けた固定ボルト（図示省略）に対してツマミ８ｂ付きの固定ナット（図示省略）を締め込むことにより固定される。
図２に示すように、傾動ブラケット８の傾動先端側には２つの支持縁部８ａ，８ａが相互に平行な状態で後側へ張り出すように設けられている。両支持縁部８ａ，８ａ間に、丸鋸本体３の前端部に設けた傾動アーム部２９が支持軸９を介して上下に傾動可能に支持されている。なお、傾動軸７は、上記支持軸９に対してその軸心を直交させる向きに配置されている。
【００１０】
一方、定盤２の後部には、図１に示すように、後側傾動支持部Ｒが設けられている。この後側傾動支持部Ｒは、定盤２の上面に固定した傾動定盤１０を備えている。この傾動定盤１０には、支持軸１１を介してガイドブラケット１２が切断方向右側へ傾動可能に取り付けられている。この後側の支持軸１１は、前記前側の傾動軸７と同軸に配置されている。図２に示すように、ガイドブラケット１２は、ブレードケース２０の背面側に取り付けた固定ボルト１３に対して固定ナット１５を締め込むことによりブレードケース２０に固定される。固定ナット１５はレバー１４を上下に回動させることにより固定ボルト１３に対して締め込み、また緩めることができる。
【００１１】
ガイドブラケット１２には、図１に示すように、上下に長い円弧形状のガイド溝１２ａが設けられている。このガイド溝１２ａを介してガイドブラケット１２が丸鋸本体３のブレードケース２０の背面に固定されている。
前記前側の傾動ブラケット８が傾動軸７を中心にして傾動可能に支持され、かつ後側のガイドブラケット１２が支持軸１１を中心にして傾動可能に支持されていることにより、丸鋸本体３を切断方向に対して左右に傾動させることができ、これにより鋸刃２２の切断材Ｗに対する傾斜角度を変更して直角切りまたは傾斜切りを行うことができる。
また、固定ナット１５を緩めた状態で、前側の支持軸９を中心にして丸鋸本体３を上下に傾動させ、定盤２に形成された開口部としての貫通孔２ａ（図３参照）を通して該定盤２の下面側へ突出される鋸刃２２の突き出し量を変化させることによって、鋸刃２２の切断材Ｗに対するいわゆる切り込み深さを変更することができる。
【００１２】
丸鋸本体３は、前記鋸刃２２を覆うブレードケース２０と、駆動モータを内蔵したモータケース２１を備えている。ブレードケース２０はギヤケース部２０ａと、該ギヤケース部２０ａの正面側に配置されるカバー部材２０ｂとからなり、ギヤケース部２０ａにモータケース２１が突き合わされてブレードケース２０とモータケース２１が固定ボルトによって接合されている。モータケース２１の駆動モータの出力は、ギヤケース部２０ａに内蔵したギヤ列により減速されて円形の鋸刃２２の回転として出力される。なお、ギヤケース部２０ａの下方に前述した傾動アーム部２９が備えられ、この傾動アーム部２９は前方に向かって突き出るように形成されている。
【００１３】
鋸刃２２はブレードケース２０の内側に位置しており、定盤２の上面側において、裏面側、つまり内面側がギヤケース部２０ａとモータケース２１によって覆われ、正面側、つまり外面側および外周側がカバー部材２０ｂによって覆われている。また、カバー部材２０ｂは、ギヤケース部２０ａに取り外し可能とされ、取り外した状態では、鋸刃２２の正面側が露出され、鋸刃２２の交換作業が可能とされている。
鋸刃２２は図４に示すように、駆動モータによって回転される回転軸５の軸端部に対して、インナフランジ５ａおよびアウタフランジ５ｂを介して締結用のねじ軸５ｃによって取り付けられている。したがって、ねじ軸５ｃを取り外し、アウタフランジ５ｂおよびインナフランジ５ａを外すことで、鋸刃２２を回転軸５から外すことができる。
【００１４】
また、鋸刃２２はその下側ほぼ半分の範囲が開閉可能なセーフティカバー２３により覆われている。セーフティカバー２３は切断作業時には上方へ回動し、これにより鋸刃２２の定盤２の下面側に突き出す範囲が露出される。
また、カバー部材２０ｂの前端部には、上方に向かって延出する粉塵吸い込み用の筒部２０ｇが一体に形成され、その筒部２０ｇの上端部には円筒形の接続筒２０ｈが取り付けられている。これら筒部２０ｇと接続筒２０ｈとによって鋸刃２２の接線方向に沿う吸い込み口が形成される。そして、切断作業時には接続筒２０ｈに集塵機がホースを介して接続され、切断によって生じた粉塵が集塵機に集塵される。
【００１５】
モータケース２１は、その上面から斜め後方へ突き出されて後面に至る略Ｃ形のメインハンドル２５と、このメインハンドル２５よりも前側であって、当該モータケース２１の前面から前方へ突き出すように設けられたグリップ部２６を備えている。メインハンドル２５の内周側には上記駆動モータを起動または停止させるためのトリガー２７にてオン・オフ操作されるメインスイッチ２７ａが配置されている。また、このメインハンドル２５の後部には電源コード２８が引き込まれている。
従って、作業者は、一方の手でメインハンドル２５を把持し、他方の手でグリップ部２６を把持して丸鋸盤１を両手でしっかりと支えながら切断方向へ移動させることができる。
【００１６】
次に、切断材Ｗが、例えば突き合わせ端部Ｗ１にビニールのような軟質樹脂製またはゴム製のシール材Ｗ２が設けられた石膏ボードＷである場合において、該石膏ボードＷの切断時にシール材Ｗ２が鋸刃２２に引っかけられて巻き込まれるのを防止するために備えられる切断部材（カッター）３２を説明する。なお、図１および図３にそれぞれ仮想線で示すように、石膏ボードＷは、ボード相互を突き合わせて壁面等を施工する場合において、接合部のシール性を確保するために、段差状に形成された突き合わせ端部（接合端部）Ｗ１の合わせ面に紐状の水浸入防止用のシール材Ｗ２が設けられている。
切断部材３２は鋸刃２２の内面側でかつ前側、すなわち丸鋸本体３側でかつ鋸刃２２の回転中心よりも切断方向前寄り位置に設置されている。切断部材３２は図３に示すように、一枚の略長方形状の鉄板を略Ｚ形に折り曲げて形成され、丸鋸本体３、詳しくはブレードケース２０に固定ねじ３３によって着脱可能に固着されている。切断部材３２は、鋸刃２２の切断方向に沿って略水平に延在する刃先３２ａを有し、その刃先３２ａが定盤２の貫通孔２ａに上方から臨むように位置決め固定されている。また、刃先３２ａの先端は、定盤２の上面側から貫通孔２ａ内に僅かに入り込んだ状態に取り付けられており、この進入深さについては、適宜に設定することが可能である。
【００１７】
本実施の形態に係る丸鋸盤１は、上記のように構成されている。したがって、突き合わせ端部Ｗ１にシール材Ｗ２が設けられた石膏ボードＷを切断する場合において、図４に仮想線で示すように、鋸刃２２にシール材Ｗ２が引っかけられたとき、そのシール材Ｗ２が石膏ボードＷの表面からめくれ上がり、定盤２の貫通孔２ａを通してブレードケース２０内上方へ巻き込まれるといった現象が生じることがある。このとき、切断部材３２は石膏ボードＷからめくれようとするシール材Ｗ２を切断する。すなわち、切断部材３２は鋸刃２２と石膏ボードＷとの間に跨るシール材Ｗ２を切り取り、これにより、シール材Ｗ２がブレードケース２０内に巻き込まれることを防止する。
【００１８】
シール材Ｗ２がケース内部へ巻き込まれた場合、そのシール材Ｗ２は回転軸５またはインナフランジ５ａに巻き付く。ケース内部は切断作業に伴い高熱化しており、回転軸５またはインナフランジ５ａに巻き付いたビニール製のシール材Ｗ２が熱で溶けて回転軸５を支持するベアリング内に侵入する可能性がある。特に、ブレードケース２０が鋸刃２２をほぼ完全な形で覆っている防塵タイプの丸鋸盤１の場合、ブレードケースの外面側が大きく開放されている一般的な木材用丸鋸盤に比べてケース内の放熱性に劣ることから上記の現象が発生しやすいものである。しかるに、本実施の形態によれば、上述したように、切断部材３２によって石膏ボードＷの表面からめくれようとする、あるいはめくれて巻き込まれようとするシール材Ｗ２を断ち切り、ケース内部への巻き込みを防止する。これにより、回転軸５やインナフランジ５ａへの巻き付きが防止され、延いては熱で溶けたシール材Ｗ２がベアリングへ侵入することを未然に回避することが可能となる。
【００１９】
また、本実施の形態では、切断部材３２は鋸刃２２の切断方向に沿って延在する刃先３２ａを有する構成としている。このため、刃先３２ａは石膏ボードＷの表面からめくれ上がろうとするシール材Ｗ２に対して、交差する方向、すなわち鋸刃２２と石膏ボードＷとの間に連なるシール材Ｗ２を断ち切る方向に切断作用を加えることができる。これにより、シール材Ｗ２の切断作用が効果的に行われることになる。
【００２０】
また、本実施の形態では、切断部材３２を丸鋸本体３に設けている。前述したように、４５°の傾斜切りを行う場合、丸鋸本体３は定盤２に対して傾動軸７および支持軸１１を支点にして傾動されるが、このとき、切断部材３２は丸鋸本体３と一体に変位する。これにより、鋸刃２２と切断部材３２との相対位置が一定に保持される。このため、切断部材３２が鋸刃２２の傾動角度を調整する際に邪魔になるといった問題が生じなし、シール材Ｗ２の切断作用に悪影響を及ぼすこともない。
【００２１】
ところで、上述したシール材Ｗ２のめくれ現象は、鋸刃２２の外面側でも同様に発生する可能性がある。しかしながら、鋸刃２２の外面側には、アウタフランジ５ｂが突起物として存在するものの、その突出量はさして大きくない。したがって、シール材Ｗ２がアウタフランジ５ｂに巻き付く可能性は低いが、鋸刃２２の外面側にも内面側と同様の切断部材３２を設置することで、シール材Ｗ２がブレードケース２０の外面側内部に巻き込まれることを防止するとともに、アウタフランジ５ｂに巻き付くことを防止ることが可能となる。
【００２２】
なお、本発明は上述した実施の形態に限定されるものではなく、その要旨を逸脱しない範囲内で適宜変更することが可能である。
例えば、上述した実施の形態では、切断部材３２を鋸刃２２の内面側の刃先付近に設けたが、必ずしもこの位置に限定されるものではなく、鋸刃２２の回転中心よりも切断方向の前側であればよい。
また、切断部材３２を丸鋸本体３に設けたが、定盤２に設けてもよい。また、切断部材３２は、丸鋸本体３または定盤２に対して一体に形成してもよい。
また、実施の形態は、ブレードケース２０が鋸刃２２をほぼ完全に覆う構成の防塵タイプの丸鋸盤１に適用した場合で説明したが、ブレードケースの外面側が大きく開放されている一般的な木材用丸鋸盤に適用してもよい。
また、切断材として石膏ボードＷの場合で説明したが、切断材はこれに限定されるものではない。
【００２３】
【発明の効果】
以上詳述したように、本発明によれば、シール材が設けられた切断材の切断時において、鋸刃によるシール材の巻き込みを防止する上で有効な丸鋸盤を提供することができる。
【図面の簡単な説明】
【図１】  本実施形態に係る防塵タイプの丸鋸盤の正面図である。
【図２】  同じく防塵タイプの丸鋸盤の平面図である。
【図３】  図１のＡ−Ａ線拡大断面図である。
【図４】  鋸刃の回転軸に対する取付構造および切断部材によるシール材の切断作用を説明する図面である。
【符号の説明】
１…丸鋸盤
２…定盤
２ａ…貫通孔
３…丸鋸本体
５…回転軸
２０…ブレードケース
２１…モータケース
２２…鋸刃
３２…切断部材
３２ａ…刃先
Ｗ…切断材（石膏ボード）
Ｗ２…シール材
【図１】
0004138286.tif 000002
【図２】
0004138286.tif 000003
【図３】
0004138286.tif 000004
【図４】
0004138286.tif 000005